(57)【要約】【課題】表示部の表示画面を大画面化させることなく、操作者が文書の内容を把握して簡単に所望の頁を見つけ出せるようにする。【解決手段】複合機１は、画像データの各頁毎に、操作者が指定する頁のサムネイル画像の生成指示を受け付けるサムネイル画像生成指示受付部５２３と、画像データをなす頁のサムネイル画像を生成するサムネイル画像生成部５２４と、当該サムネイル画像と、サムネイル画像生成指示受付部５２３で受け付けられた頁を示すポップアップ画像Ｄ２とを表示部４１０に表示させる表示制御部５２２と、ポップアップ画像Ｄ２が示す頁の中から、操作者が指定する頁を受け付ける頁指定受付部５２５とを備え、表示制御部５２２は、頁指定受付部５２５に操作者からの頁指定が受け付けられた場合、当該受け付けられた頁のサムネイル画像を表示させる。【選択図】図９
2011199747.tif 000002
【特許請求の範囲】
【請求項１】
画像を表示する表示部と、
画像データを記憶する画像データ記憶部と、
前記画像データ記憶部に記憶された画像データの各頁毎に、操作者が指定する頁のサムネイル画像の生成指示を受け付けるサムネイル画像生成指示受付部と、
前記画像データ記憶部に記憶された画像データについて、少なくとも前記サムネイル画像生成指示受付部によって受け付けられた頁のサムネイル画像を生成するサムネイル画像生成部と、
前記サムネイル画像生成部によって生成されたいずれかの頁のサムネイル画像と、前記サムネイル画像生成指示受付部によって受け付けられた頁を示すポップアップ画像とを前記表示部に表示させる表示制御部と、
前記表示制御部によって表示されたポップアップ画像が示す前記頁の中から、操作者が指定する頁を受け付ける頁指定受付部とを備え、
前記表示制御部は、前記頁指定受付部に操作者からの頁指定が受け付けられた場合、この時点で前記表示部に表示させているサムネイル画像に代えて、当該受け付けられた頁のサムネイル画像を前記表示部に表示させる画像表示装置。
【請求項２】
操作者を識別するための識別情報の入力を受け付ける識別情報受付部を更に備え、
前記サムネイル画像生成指示受付部は、前記サムネイル画像を生成する頁の指定を識別情報毎に受け付け、
前記表示制御部は、前記識別情報受付部に受け付けられた識別情報毎に、前記サムネイル画像生成指示受付部で受け付けられた頁を示すポップアップ画像を表示させる請求項１に記載の画像表示装置。
【請求項３】
前記表示制御部は、前記ポップアップ画像を、前記サムネイル画像生成指示受付部によって受け付けられた頁毎に表示する請求項１又は請求項２に記載の画像表示装置。
【請求項４】
前記画像データ記憶部に記憶された各頁の画像データの内、文字領域又は写真領域の占有率が予め定められた値に達する注目頁、又は予め定められた画像を有する注目頁を検出する注目頁検出部と、
前記サムネイル画像生成部は、前記画像データ記憶部に記憶された画像データについて、前記注目頁検出部によって検出された注目頁のサムネイル画像を生成し、
前記表示制御部は、前記サムネイル画像生成指示受付部によって受け付けられた頁に代えて、前記注目頁検出部によって検出された注目頁を示すポップアップ画像を前記表示部に表示させる請求項１乃至請求項３のいずれかに記載の画像表示装置。
【請求項５】
請求項１乃至請求項４のいずれかに記載の画像表示装置と、
前記画像データ記憶部に記憶された画像データに基づいた画像形成を記録媒体に対して行う画像形成部と
を備える画像形成装置。
【発明の詳細な説明】
【技術分野】
【０００１】
本発明は、画像表示装置及び画像形成装置に関し、特に、表示部の表示画面に、画像形成の対象となる画像の内容を確認するための表示技術に関する。
【背景技術】
【０００２】
従来から、複写機等の画像形成装置では、記憶装置に記憶されている画像データの中から、操作者所望の画像データを取り出すために、例えば、下記特許文献１に示されるように、取り出し用シート上に文書ＩＤマークを備え、この文書ＩＤマークに対応する文書のサムネイル画像を表示部に表示して、操作者による各文書の内容確認を可能にすることで、操作者が所望の文書の画像データを記憶装置から取り出せるようにする画像形成装置が提案されている。
【先行技術文献】
【特許文献】
【０００３】
【特許文献１】特開２００１−５８０５号公報
【発明の概要】
【発明が解決しようとする課題】
【０００４】
しかしながら、上記特許文献１に示される文書管理装置のように、表示部に文書のサムネイル画像を表示する場合、文書の頁数が多くなると、表示部に表示されるサムネイル画像が多くなる。そして、表示部は、装置構成の制約上、大画面で設けることが困難であることが多いため、当該サムネイル画像は表示部に小さなサイズで表示されることになる。このため、操作者は、文書及び各頁の内容を把握して所望の文書又は所望の頁を見つけ出すことが困難になり、所望の頁を見つけ出すために時間を要する。一方、文書内容を大きく表示するために表示部を大画面化させると、製造コストの上昇を招く。
【０００５】
本発明は、上記の問題を解決するためになされたもので、表示部の表示画面を大画面化させることなく、操作者が文書の内容を把握して簡単に所望の頁を見つけ出せるようにすることを目的とする。
【課題を解決するための手段】
【０００６】
本発明の請求項１に記載の発明は、画像を表示する表示部と、
画像データを記憶する画像データ記憶部と、
前記画像データ記憶部に記憶された画像データの各頁毎に、操作者が指定する頁のサムネイル画像の生成指示を受け付けるサムネイル画像生成指示受付部と、
前記画像データ記憶部に記憶された画像データについて、少なくとも前記サムネイル画像生成指示受付部によって受け付けられた頁のサムネイル画像を生成するサムネイル画像生成部と、
前記サムネイル画像生成部によって生成されたいずれかの頁のサムネイル画像と、前記サムネイル画像生成指示受付部によって受け付けられた頁を示すポップアップ画像とを前記表示部に表示させる表示制御部と、
前記表示制御部によって表示されたポップアップ画像が示す前記頁の中から、操作者が指定する頁を受け付ける頁指定受付部とを備え、
前記表示制御部は、前記頁指定受付部に操作者からの頁指定が受け付けられた場合、この時点で前記表示部に表示させているサムネイル画像に代えて、当該受け付けられた頁のサムネイル画像を前記表示部に表示させる画像表示装置である。
【０００７】
この発明によれば、サムネイル画像生成指示受付部が、画像データ記憶部に記憶された画像データの各頁毎に、操作者が指定する頁のサムネイル画像の生成指示を受け付け、表示制御部は、サムネイル画像生成部によって生成されたいずれかの頁のサムネイル画像と、当該指定が受け付けられた頁を示すポップアップ画像とを表示部に表示させると共に、頁指定受付部に受け付けられた頁のサムネイル画像を、この時点で表示部に表示させているサムネイル画像に代えて表示部に表示させる。これにより、操作者が指定した頁のみに数を絞って表示部にサムネイル画像を表示可能とし、また、操作者は、上記ポップアップ画像表示により所望の頁のサムネイル画像を簡単に表示させることができる。このため、表示部の表示画面を大画面化することなく操作者に文書の内容を把握させることができ、操作者は簡単に所望の頁を見つけ出すことができる。
【０００８】
また、請求項２に記載の発明は、請求項１に記載の画像表示装置であって、操作者を識別するための識別情報の入力を受け付ける識別情報受付部を更に備え、
前記サムネイル画像生成指示受付部は、前記サムネイル画像を生成する頁の指定を識別情報毎に受け付け、
前記表示制御部は、前記識別情報受付部に受け付けられた識別情報毎に、前記サムネイル画像生成指示受付部で受け付けられた頁を示すポップアップ画像を表示させるものである。
【０００９】
この発明によれば、表示制御部は、上記識別情報毎に、サムネイル画像生成指示受付部で受け付けられた頁を示すポップアップ画像を表示させるので、真に重要な頁を操作者別にポップアップ画像により案内でき、操作者は、各操作者にとって重要な頁についてのサムネイル画像を簡単に表示部に表示させることができる。
【００１０】
また、請求項３に記載の発明は、請求項１又は請求項２に記載の画像表示装置であって、前記表示制御部は、前記ポップアップ画像を、前記サムネイル画像生成指示受付部によって受け付けられた頁毎に表示するものである。
【００１１】
この発明によれば、表示制御部が、ポップアップ画像を、サムネイル画像生成指示受付部によって受け付けられた頁毎に表示するので、操作者によりサムネイル画像の生成が指定された頁を更に明確に表示部に表示することができる。
【００１２】
また、請求項４に記載の発明は、請求項１乃至請求項３のいずれかに記載の画像表示装置であって、前記画像データ記憶部に記憶された各頁の画像データの内、文字領域又は写真領域の占有率が予め定められた値に達する注目頁、又は予め定められた画像を有する注目頁を検出する注目頁検出部と、
前記サムネイル画像生成部は、前記画像データ記憶部に記憶された画像データについて、前記注目頁検出部によって検出された注目頁のサムネイル画像を生成し、
前記表示制御部は、前記サムネイル画像生成指示受付部によって受け付けられた頁に代えて、前記注目頁検出部によって検出された注目頁を示すポップアップ画像を前記表示部に表示させるものである。
【００１３】
この発明によれば、表示制御部は、サムネイル画像生成指示受付部によって受け付けられた頁に代えて、注目頁検出部によって検出された注目頁を示すポップアップ画像を表示部に表示させ、さらに、当該注目頁のサムネイル画像を表示部に表示させることになるので、複数頁分の画像データから、操作者が注目すると想定される頁を的確に抽出し、操作者に対して、ポップアップ画像により、サムネイル画像の表示が可能である旨を把握させることができる。
【００１４】
また、請求項５に記載の発明は、請求項１乃至請求項４のいずれかに記載の画像表示装置と、
前記画像データ記憶部に記憶された画像データに基づいた画像形成を記録媒体に対して行う画像形成部と
を備える画像形成装置である。
【００１５】
この発明によれば、請求項１乃至請求項４のいずれかに記載の発明と同様の作用を奏する。
【発明の効果】
【００１６】
本発明によれば、表示部の表示画面を大画面化させることなく、操作者が文書の内容を把握して簡単に所望の頁を見つけ出すことができる。
【図面の簡単な説明】
【００１７】
【図１】本発明の一実施形態に係る画像形成装置の一例である複合機の構成を示す側面概略図である。
【図２】操作部の部分拡大図である。
【図３】図１に示す複合機の制御ブロック図である。
【図４】複合機における各画像データについてのサムネイル画像生成の設定時における処理の第１実施形態を示すフローチャートである。
【図５】表示画面の一例を示す図である。
【図６】表示画面の一例を示す図である。
【図７】表示画面の一例を示す図である。
【図８】複合機によるサムネイル画像表示処理を示すフローチャートである。
【図９】表示画面の一例を示す図である。
【図１０】表示画面の一例を示す図である。
【図１１】複合機における文書データについてのサムネイル画像生成の設定時における処理の第２実施形態を示すフローチャートである。
【図１２】表示画面の一例を示す図である。
【図１３】複合機によるサムネイル画像表示処理の第２実施形態を示すフローチャートである。
【図１４】複合機によるサムネイル画像表示処理の第３実施形態を示すフローチャートである。
【図１５】表示画面の一例を示す図である。
【図１６】表示画面の一例を示す図である。
【発明を実施するための形態】
【００１８】
以下、本発明に係る画像表示装置及びこれを備えた画像形成装置について説明する。図１は、本発明の一実施形態に係る画像形成装置の一例である複合機の構成を示す側面概略図である。図２は、操作部４００の部分拡大図である。複合機１は、スキャナ機能、ファクシミリ機能、プリンタ機能、コピー機能等を兼ね備えている。複合機１は、本体部２００と、本体部２００の用紙搬出側、例えば左側に配設された用紙後処理部３００と、操作者が種々の操作指令等を入力するための操作部４００と、本体部２００の上部に配設された原稿読み取り部５００と、原稿読み取り部５００の上部に配設された原稿給送部６００とから構成される。
【００１９】
図２にも示すように、操作部４００は、ＬＣＤ（Liquid Crystal Display）等からなる表示部４１０と、操作者から操作指示が入力される操作キー部４３０を備える。操作キー部４３０は、ヘルプキー４３１、スタートボタン４３２、テンキー４３３、及び機能切換キー４３４等を備える。
【００２０】
ヘルプキー４３１は、操作者から、スキャナ機能、ファクシミリ機能、プリンタ機能、コピー機能等に関する各操作方法を表示する操作画面（ヘルプ画面）を表示部４１０に表示させる指示を受け付けるものである。
【００２１】
スタートボタン４３２は、コピー動作やスキャン動作等の各動作を開始させる指示を操作者から受け付ける。テンキー４３３は、コピー部数を指定する指示等を操作者から受け付けるキーである。また、本実施形態では、テンキー４３３は、表示部４１０に表示中の操作画面に対応する操作指示の入力に必要な情報（例えば、ユーザボックス番号）の入力を受け付ける情報入力部として機能する。
【００２２】
機能切換キー４３４は、コピー機能、送信機能（スキャナ機能、ファクシミリ機能等）、文書ボックス機能（後述するＨＤＤ７４内に設けられている操作者毎の記憶領域（メールボックス）に記憶されているデータを読み出してプリントする機能）等を相互に切り替える機能切換指示を操作者から受け付けるキーである。
【００２３】
表示部４１０は、ＬＣＤ（Liquid Crystal Display）等からなり、タッチパネル機能を組み合わせたタッチパネルユニット等を備えている。表示部４１０は、種々の操作画面を表示すると共に、操作者が表示面（表示されている操作キー）をタッチすることで種々の機能の実行指令を入力することが可能とされている。
【００２４】
原稿給送部６０は、原稿載置部６０１、給紙ローラ６０２、原稿搬送部６０３及び原稿排出部６０４を備え、原稿読み取り部（画像データ取得部の一例）５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２５】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２６】
感光体ドラム２０４は、矢印方向に回転しながら帯電装置（図示省略）によって一様に帯電される。露光装置２０６は、原稿読み取り部５００において読み取られた原稿の画像に応じて変調されたレーザ光を感光体ドラム２０４上に走査し、ドラム表面に各色毎の静電潜像を形成する。現像装置２０７は、黒色の現像剤を感光体ドラム２０４に供給してトナー画像を形成する。
【００２７】
一方、給紙ローラ２０２は、記録紙が収納された給紙カセット２０１から記録紙を引き出し、転写ローラ２０３まで給送する。転写ローラ２０３は、搬送された記録紙に感光体ドラム２０４上のトナー像を転写させ、定着ローラ２０８は、転写されたトナー像を加熱して記録紙に定着させる。その後、記録紙は、本体部２００の排出口２０９から用紙後処理部３００に搬入される。また、記録紙は、必要に応じて排出トレイ２１０へも排出される。
【００２８】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００２９】
図３は、図１に示す複合機の制御ブロック図である。複合機１は、スキャナ部１１、画像処理部２１、プリンタ部３１、操作部４００、制御部５１、ネットワークＩ／Ｆ（インターフェース）部７１、ＨＤＤ（ハードディスクドライブ）７４、及びファクシミリ通信部７５を備える。
【００３０】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像
に対応する画像を画像処理部２１へ出力する。
【００３１】
画像処理部２１は、補正部２２、画像加工部２３及び画像メモリ２４を含む。画像処理部２１は、読み取られた画像を必要に応じて補正部２２及び画像加工部２３により処理する。画像処理部２１によって処理された画像は印刷用に画像メモリ２４に記憶され、又はプリンタ部３１に出力される。補正部２２は、読み取られた画像に対してレベル補正、γ補正等の所定の補正処理を行う。画像加工部２３は、画像の圧縮又は伸張処理、及び拡大又は縮小処理等の種々の加工処理を行う。
【００３２】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データを用いて画像を記録紙に印刷する。具体的には、用紙搬送部３２は記録紙を画像形成部３３へ搬送し、画像形成部３３は上記の画像に対応するトナー像を形成し、転写部３４はトナー像を記録紙に転写し、定着部３５はトナー像を記録紙に定着させて画像を形成する。
【００３３】
ネットワークＩ／Ｆ部７１は、ネットワークインタフェース（10/100Base-TX）等を用い、ＬＡＮを介して外部装置、例えばＬＡＮ接続されたパーソナルコンピュータとの間での種々のデータの送受信を制御する。ＨＤＤ７４は、スキャナ部１１によって読み取られた画像及び当該画像に設定されている出力形式等を記憶する。
【００３４】
操作部４００は、図１及び図２に示したように表示部４１０、操作キー部４３０を備える。表示部４１０は、タッチパネル機能により各種指示の入力を受け付ける複数のキーを表示制御部５２２による制御の下で表示する。
【００３５】
操作キー部４３０には、図２に示した機能切換キー４３４、スタートボタン４３２、及びテンキー４３３等が設けられている。制御部５１のＣＰＵ５２は、上記表示部４１０及び操作部４００の各キーから、操作者によって入力された指示を受け付ける。
【００３６】
ファクシミリ通信部７５は、符号化／復号化部（図示省略）、変復調部（図示省略）及びＮＣＵ（Network Control Unit）（図示省略）を含む。ファクシミリ通信部７５は、スキャナ部１１によって読み取られた原稿の画像データを、電話回線を介してファクシミリ装置等へ送信したり、ファクシミリ装置等から送信された画像データを受信したりする。符号化／復号化部は、送信する画像データを圧縮・符号化し、受信した画像データを伸長・復号化する。変復調部は、圧縮・符号化された画像データを音声信号に変調し、受信した信号（音声信号）を画像データに復調する。ＮＣＵは、送受信先となるファクシミリ装置等との電話回線による接続を制御する。
【００３７】
制御部５１は、ＣＰＵ５２と、データ記憶部５３とを備える。ＣＰＵ５２は、複合機１の動作制御を司るものである。
【００３８】
データ記憶部５３は、メモリ等からなり、操作者に対する操作案内を行うための操作画面を表示するための各種データや、スキャナ機能、ファクシミリ機能、プリンタ機能、コピー機能等の各機能の動作状況を表示するための表示画面用の画像データ（画像、文字、記号等の各データを含む）を記憶している。さらに、データ記憶部５３は、原稿読み取り部５００によって読み取られた原稿の画像データ、ネットワークＩ／Ｆ部７１によって、ＬＡＮ接続されたパーソナルコンピュータから取得された画像データ、及びＨＤＤ７４（又は図略のＩ／Ｆを介して複合機１に装着される外部メモリ等）に記憶されている文書の画像データを、画像形成用に一時的に記憶すると共に、当該画像データのサムネイル画像（操作者による画像データ内容の内容確認用）を生成するために一時的に記憶する。
【００３９】
ＣＰＵ５２は、動作制御部５２１、表示制御部５２２、サムネイル画像生成指示受付部５２３、サムネイル画像生成部５２４、頁指定受付部５２５、注目頁検出部５２６、及び識別情報受付部５２７を備える。
【００４０】
動作制御部５２１は、複合機１の各部（操作部４００、スキャナ部１１，画像処理部２１、プリンタ部３１等）の動作制御を司る。
【００４１】
表示制御部５２２は、表示部４１０の表示動作を制御する。表示制御部５２２は、データ記憶部５３から、操作画面の表示に必要な画像データ等を読み出して表示部４１０に表示させる。
【００４２】
サムネイル画像生成指示受付部５２３は、原稿読み取り部５００によって読み取られた原稿の画像データ、ネットワークＩ／Ｆ部７１によって、ＬＡＮ接続（又はインターネット接続）されたパーソナルコンピュータから取得された画像データ、ファクシミリ通信部７５によって外部のファクシミリ装置から取得された画像データ、及びＨＤＤ７４（又は図略のＩ／Ｆを介して複合機１に装着される外部メモリ等）に記憶されている文書の画像データであって、データ記憶部５３（当該データ記憶部５３に代えてＨＤＤ７４をデータの一時的な記憶領域として用いてもよい。なお、これらデータ記憶部５３及びＨＤＤ７４は、特許請求の範囲でいう画像データ記憶部の一例である）に一時的に記憶される画像データについて（以下、これらの画像データを、文書データと記す）、例えば当該文書データがファイルでなる場合に、各ファイルの頁毎に、操作者による操作部４００の操作に基づいて、操作者が指定する頁のサムネイル画像の生成指示を受け付ける。
【００４３】
サムネイル画像生成部５２４は、文書データが示す画像を縮小処理等することによって、サムネイル画像を生成する。サムネイル画像生成部５２４は、例えば、上記文書データのフロント頁や、サムネイル画像生成指示受付部５２３によって受け付けられた頁のサムネイル画像を生成する。サムネイル画像生成部５２４は、少なくともサムネイル画像生成指示受付部５２３によって受け付けられた頁のサムネイル画像を生成する。
【００４４】
なお、表示制御部５２２は、サムネイル画像生成部５２４によって生成された頁のサムネイル画像と、サムネイル画像生成指示受付部５２３によって受け付けられた頁（頁番号情報）を示すポップアップ画像とを表示部４１０に表示させる。
【００４５】
頁指定受付部５２５は、表示制御部５２２によって表示されたポップアップ画像が示す頁の中から、操作者による操作部４００の操作に基づいて、サムネイル画像を表示させる頁として操作者が指定する頁を受け付ける。表示制御部５２２は、頁指定受付部５２５に操作者からの頁指定が受け付けられた場合、当該受け付けられた頁のサムネイル画像を表示部４１０に表示させる。このとき、表示制御部５２２は、この時点で表示部４１０に表示させているサムネイル画像がある場合には、当該表示しているサムネイル画像に代えて、頁指定受付部５２５に頁指定が受け付けられた頁のサムネイル画像を表示部４１０に表示させる。
【００４６】
注目頁検出部５２６は、操作者からの指示に基づいて、文字領域の占有率が予め定められた値（例えば、70％等）に達している頁、写真領域の占有率が予め定められた値（例えば、40％等）に達している頁、枠を示す画像を含む頁、又は登録済みの画像に略一致する画像を含む頁、を検出する処理を行う。
【００４７】
なお、注目頁検出部５２６による上記各頁をなす原稿画像からの文字領域の検出には、上記文書データをなす各頁の画像から、写真等を除いた、例えば見出しや本文等が記載されている文字領域を抽出する技術が用いられる。当該文字領域を抽出する技術としては、例えば、エッジ検出処理の手法を用いることができる。この場合、注目頁検出部５２６は、前記各頁の画像を構成する各画素を順次注目画素とし、その注目画素と周辺画素を抽出して、それらの画素に対してエッジ検出フィルタを用いたフィルタ処理を施すことにより、画像の輪郭を構成するエッジ画素を検出するエッジ検出処理を行う。そして、このエッジ検出処理でエッジを検出した場合に、注目頁検出部５２６は、当該注目画素をエッジ画素と判定し、当該エッジ画素に基づいて文字領域を判定する。例えば、注目頁検出部５２６は、注目画素と、注目画素に隣接する８近傍画素との各々の輝度の差分値を算出し、所定の閾値よりも大きな値を有する差分値が、一定個数以上（例えば４個以上）ある場合、その注目画素は、文字を構成するエッジ画素であると判定する。注目頁検出部５２６は、検出対象とする画像領域を予め定められた数の領域に区分し、当該区分された各領域について、当該エッジ画素が、予め定められた閾値以上存在すれば、当該エッジ画素が予め定められた閾値以上存在する領域を文字領域として抽出する。そして、注目頁検出部５２６は、文書データを構成する各頁について当該文字領域の占有率を算出する。
【００４８】
上記注目頁検出部５２６による上記各領域からの写真領域の検出は、例えば、以下のようにして行う。例えば、注目頁検出部５２６は、文書データがカラー画像データの場合、原稿画像（被判定領域）1頁分を構成する各画素について、そのR（赤）、G（緑）、B（青）の色成分からなる画素値（256階調）を公知の変換式を用いて明度データに変換して２値化を行う。そして、注目頁検出部５２６は、２値化画像に対し４連結ラベリングを行い、ラベリングされた画像それぞれについて、その大きさが予め定められた大きさ（例えば、文字相当程度の大きさ）よりも大きいものについては、その領域を写真領域とする。そして、注目頁検出部５２６は、文書データを構成する各頁について当該写真領域の占有率を算出する。
【００４９】
上記注目頁検出部５２６による上記各領域から枠を示す画像を含む領域の検出は、例えば、以下のようにして行う。例えば、注目頁検出部５２６は、上記分割された各領域の画像について、主走査方向に連続して並ぶ予め定められた範囲内の画素値の画素、及び副走査方向に連続して並ぶ予め定められた範囲内の画素値の画素により矩形をなす画像、すなわち枠体をなす画像が存在するか否かを検出する。これにより、注目頁検出部５２６は、文書データを構成する各頁から、当該枠体をなす画像が存在する頁を検出する。
【００５０】
また、上記注目頁検出部５２６による上記各領域から登録済みの画像を含む領域の検出は、例えば、以下のようにして行う。例えば、注目頁検出部５２６は、上記分割された各領域の画像を構成する各位置の画素の画素値と、上記登録済みの画像を構成する各位置の画素の画素値を比較し、当該分割された各領域の画像に、当該登録済みの画像が含まれるか否かを判定する。これにより、注目頁検出部５２６は、文書データを構成する各頁から、当該登録済み画像が存在する頁を検出する。
【００５１】
識別情報受付部５２７は、各操作者を識別するための識別情報（各操作者別に割り振られた各操作者別のＩＤ等）の入力を、操作者による操作部４００の操作を介して、各操作者別に受け付ける。
【００５２】
また、識別情報受付部５２７に当該識別情報が受け付けられた場合、サムネイル画像生成指示受付部５２３は、上記文書データについて、識別情報受付部５２７に受け付けられた識別情報毎に、各頁毎のサムネイル画像の生成指示を受け付けて記憶可能である。この場合、表示制御部５２２は、識別情報受付部５２７に受け付けられた識別情報毎に、サムネイル画像生成指示受付部５２３で受け付けられた頁を示すポップアップ画像を表示させる。
【００５３】
なお、本発明の一実施形態に係る画像表示装置は、操作部４００と、表示部４１０と、表示制御部５２２と、サムネイル画像生成指示受付部５２３と、サムネイル画像生成部５２４と、頁指定受付部５２５と、注目頁検出部５２６と、画像データ記憶部としてのデータ記憶部５３（又はＨＤＤ７４）とを備え、更に、処理の必要性に応じて、更に、注目頁検出部５２６、又は識別情報受付部５２７を備える。
【００５４】
なお、本発明の一実施形態に係る表示制御プログラムは、ＨＤＤ７４等の複合機１内の記憶媒体に記憶されており、ＣＰＵ５２が当該表示制御プログラムに従って動作制御を行うことで、上記表示制御部５２２、サムネイル画像生成指示受付部５２３、サムネイル画像生成部５２４、頁指定受付部５２５、注目頁検出部５２６、及び識別情報受付部５２７として機能する。この表示制御プログラムは、ＣＤ−ＲＯＭ又はＤＶＤからの読込、或いは、ネットワークＩ／Ｆ７１によるインターネット上のサーバからダウンロードにより、ＨＤＤ７４等に記憶される。
【００５５】
但し、上記表示制御部５２２、サムネイル画像生成指示受付部５２３、サムネイル画像生成部５２４、頁指定受付部５２５、注目頁検出部５２６、及び識別情報受付部５２７は、ＣＰＵ５２が上記表示制御プログラムに従って動作制御することで実現されるものに限られず、上記表示制御部５２２、サムネイル画像生成指示受付部５２３、サムネイル画像生成部５２４、頁指定受付部５２５、注目頁検出部５２６、及び識別情報受付部５２７が回路等によりハード的に備えられていてもよい。
【００５６】
次に、複合機１における各画像データについてのサムネイル画像生成の設定の第１実施形態を説明する。図４は、複合機１における各画像データについてのサムネイル画像生成の設定時における処理の第１実施形態を示すフローチャートである。図５乃至図７は表示画面の一例を示す図である。
【００５７】
複合機１の主電源が操作者によってオンにされると、表示制御部５２２は、表示部４１０に図５に示すような初期画面Ａを表示させる（Ｓ１）。本実施形態では、表示制御部５２２は、表示部４１０に、コピー機能の動作条件が設定可能な表示画面を初期画面Ａとして表示させる例を示す。
【００５８】
表示制御部５２２が、表示部４１０に初期画面Ａを表示させているときに、操作者により、操作部４００に機能切換キー４３４として設けられている文書ボックスキー４３４１が押下され、当該押下操作に基づいて、タッチパネル機能により、操作部４００を介して、表示制御部５２２に、例えばＨＤＤ７４に保存されている文書データの一覧を表示する旨の一覧表示指示が受け付けられると（Ｓ２でＹＥＳ）、表示制御部５２２は、表示部４１０に、上ＨＤＤ７４に保存されている各文書データの名称の一覧を示す保存文書一覧画面Ｂ（図６に例を示す）を表示させる（Ｓ３）。
【００５９】
一方、表示部４１０での初期画面Ａの表示時に、操作者から上記一覧表示指示が受け付けられず、他の指示が入力された場合は（Ｓ２でＮＯ）、当該指示に基づいた他の動作が動作制御部５２１によって実行される（Ｓ１１）。
【００６０】
表示制御部５２２による表示部４１０への上記保存文書一覧画面Ｂの表示時には、当該保存文書一覧画面Ｂには、各文書データ毎に文書データの名称が表示される文書名表示ボタンＢ１１〜Ｂ１３…、サムネイル画像表示指示入力ボタンＢ２、サムネイル画像生成設定ボタンＢ３等が表示される。
【００６１】
ここで、保存文書一覧画面Ｂの表示時に、操作者による文書名表示ボタンＢ１１〜Ｂ１３…のいずれかの押下に基づいて、タッチパネル機能により、操作部４００に特定の文書データの指定が受け付けられた場合であって（Ｓ４でＹＥＳ）、サムネイル画像表示指示入力ボタンＢ２が押下されたときは（Ｓ５で「サムネイル表示」）、後述するサムネイル表示処理が行われる（Ｓ１１）。
【００６２】
一方、保存文書一覧画面Ｂの表示時に、操作者による文書名表示ボタンＢ１１〜Ｂ１３…のいずれかの押下に基づいて、タッチパネル機能により、操作部４００に特定の文書データの指定が受け付けられた場合であって（Ｓ４でＹＥＳ）、サムネイル画像生成設定ボタンＢ３が押下され、サムネイル画像生成についての設定処理を開始する指示が表示制御部５２２に受け付けられたときは（Ｓ５で「サムネイル設定」）、表示制御部５２２は、表示部４１０に、図７に示すような、サムネイル画像を生成する頁を指定する指示の入力を操作者に対して促すメッセージを示すサムネイル設定画面Ｃを表示させる（Ｓ６）。
【００６３】
このサムネイル設定画面Ｃは、指定された文書データの詳細情報（名称、作成日時、サイズ等）が表示されると共に、サムネイル生成頁指定ボタンＣ１、OKボタン４１１、及びキャンセルボタン４１２が表示される。
【００６４】
サムネイル生成頁指定ボタンＣ１は、当該指定された文書データをなす各頁のうち、いずれの頁についてサムネイル画像を生成するかの指示をタッチパネル機能により操作者から受け付ける。＋ボタンＣ２，−ボタンＣ３の押下によりプレビュー表示させる頁番号を指定可能とされ、確定ボタンＣ４の押下により、サムネイル画像を生成する頁の番号が受け付けられる。操作者は、複数の頁を指定するときは、当該＋ボタンＣ２，−ボタンＣ３の操作による頁番号指定と、確定ボタンＣ４の押下による確定指示の入力操作を繰り返す。
【００６５】
このようにして、上記指定された文書データを構成する各頁のうち、サムネイル画像を生成する頁の指定がサムネイル画像生成指示受付部５２３に受け付けられると（Ｓ７でＹＥＳ）、サムネイル画像生成指示受付部５２３は、当該入力された指定頁をサムネイル画像の生成対象とする頁として受け付ける（Ｓ８）。
【００６６】
この頁指定の受付及び指定された頁の受付処理は、操作者により、サムネイル設定画面ＣのOKボタン４１１が押下されて、頁指定入力終了の指示がサムネイル画像生成指示受付部５２３に受け付けられるまで行われる（Ｓ９でＮＯ）。そして、操作者によりOKボタン４１１が押下され、頁指定入力終了の指示がサムネイル画像生成指示受付部５２３に受け付けられると（Ｓ９でＹＥＳ）、上記指定された各頁がサムネイル画像を生成する頁としてサムネイル画像生成指示受付部５２３に記憶される（Ｓ１０）。
【００６７】
次に、複合機１によるサムネイル画像表示処理を説明する。図８は、複合機１によるサムネイル画像表示処理を示すフローチャートである。図９，図１０は、表示画面の一例を示す図である。なお、図４に示した処理と同様の処理は説明を省略する。
【００６８】
表示制御部５２２による保存文書一覧画面Ｂの表示時に、文書データ名称の表示、操作者による文書名表示ボタンＢ１１〜Ｂ１３…のいずれかの押下により、タッチパネル機能により、操作部４００に特定の文書の指定が受け付けられた場合であって（Ｓ１５でＹＥＳ）、サムネイル画像表示指示入力ボタンＢ２が押下されたときは（Ｓ１６で「サムネイル表示」）、サムネイル表示処理が開始される（Ｓ１７〜Ｓ２０，図４のＳ１７０）。
【００６９】
すなわち、操作者による保存文書一覧画面Ｂのサムネイル画像表示指示入力ボタンＢ２の押下に基づいて、表示制御部５２２が、上記指定された文書データについてのサムネイル画像表示の指示を受け付けた場合は、サムネイル画像生成部５２４が、サムネイル画像生成指示受付部５２３に受け付けられているサムネイル画像の表示対象として指定した頁の情報に従って、当該文書データをなす全頁のうち、当該頁情報が示す頁についてサムネイル画像を生成する（Ｓ１７）。また、本実施形態では、サムネイル画像生成部５２４は、当該指定された文書のフロント頁のサムネイル画像も生成する。生成された各頁のサムネイル画像は、例えばデータ記憶部５３に記憶される。
【００７０】
当該サムネイル画像の生成後、表示制御部５２２は、上記生成されたフロント頁のサムネイル画像を表示すると共に、上記サムネイル画像生成指示受付部５２３に受け付けられているサムネイル画像を生成する頁を示す頁情報に基づいて、当該頁を示すポップアップ画像を表示部４１０に表示させる（Ｓ１８）。例えば、表示制御部５２２は、図９に示すように、上記指定された文書データについて、そのフロント頁のみサムネイル画像Ｄ１を表示部４１０に表示させると共に、サムネイル画像生成指示受付部５２３に受け付けられているサムネイル画像を生成する頁を示すポップアップ画像Ｄ２を表示部４１０に表示したサムネイル表示画面Ｄを表示させる。なお、このサムネイル表示画面Ｄは、操作者により、サムネイル画像の生成頁として第3頁，第5頁，第7頁が指定された場合の例を示している。
【００７１】
このサムネイル表示画面Ｄの表示時に、操作者により、ポップアップ画像Ｄ２のいずれかの頁情報の表示部分が押下されると（Ｓ１９でＹＥＳ）、当該押下された表示部分に該当する頁のサムネイル画像を表示する指示が頁指定受付部５２５に受け付けられる。表示制御部５２２は、当該頁指定受付部５２５に受け付けられた頁のサムネイル画像のデータをデータ記憶部５３から読み出し、この時点で表示部４１０に表示させている上記フロント頁のサムネイル画像又は他頁のサムネイル画像に代えて表示させる（Ｓ２０）。このとき、図１０に示すように、表示制御部５２２は、この新たに表示したサムネイル画像Ｄ３と共に、当該サムネイル画像Ｄ３として表示されている頁（図１０の例では第3頁）以外の頁であって、サムネイル画像生成指示受付部５２３にサムネイル画像を生成する頁として受け付けられている頁（図１０の例では第5頁，第7頁）を示す画像をポップアップ表示させる。この後、処理はＳ１９に戻る（Ｓ２１でＮＯ）。
【００７２】
このようなサムネイル表示及びポップアップ表示が行われているとき、当該サムネイル表示画面Ｄに表示されている印刷ボタンＤ４が操作者により押下され、タッチパネル機能により、動作制御部５２１に、当該サムネイル表示されている文書についての画像形成指示が受け付けられると（Ｓ２１でＹＥＳ）、動作制御部５２１がプリンタ部３１に当該指定された文書データについての画像形成動作（印刷動作）を実行させる（Ｓ２２）。なお、キャンセルボタンＤ５が押下された場合は、動作制御部５２１は当該画像形成動作を行うことなく処理を終了する。
【００７３】
上記第１実施形態においては、サムネイル画像生成部５２４は、サムネイル画像生成時に、当該サムネイル画像生成の元とされた変更頁の頁番号情報を示す画像を付加したサムネイル画像を生成したり、或いは、表示制御部５２２が、サムネイル画像表示時に、当該サムネイル画像生成の元とされた変更頁の頁番号情報を示す画像を当該サムネイル画像に加えて表示させることが好ましい。なお、以下に示す各実施形態においても同様である。
【００７４】
次に、複合機１における文書データについてのサムネイル画像生成の設定の第２実施形態を説明する。図１１は、複合機１における文書データについてのサムネイル画像生成の設定時における処理の第２実施形態を示すフローチャートである。図１２は表示画面の一例を示す図である。なお、第１実施形態と同様の処理は説明を省略する。
【００７５】
この第２実施形態では、複合機１の起動時に、操作者によって識別情報が入力されてログインされており、複合機１が当該操作者毎に対応した内容で表示部４１０の表示制御等を行う場合の処理である。
【００７６】
複合機１の起動時、表示制御部５２２は、表示部４１０に、上記図１２に例を示すような識別情報入力画面Ｅを表示させる（Ｓ３１）。この識別情報入力画面Ｅの表示時に、操作者による操作部４００の操作で、操作者固有の上記識別情報が入力され、識別情報受付部５２７により識別情報が受け付けられると（Ｓ３２でＹＥＳ）、表示制御部５２２は、当該受け付けた識別情報が、当該識別情報受付部５２７が予め記憶している識別情報（当該複合機１の操作が許可された操作者に対して付与されている識別情報）に一致するかを判断し（Ｓ３３）、一致すると判断した場合に（Ｓ３３でＹＥＳ）、当該識別情報を入力した操作者の複合機１へのログインを許可し、初期画面Ａを表示させる（Ｓ３４）。
【００７７】
この後、サムネイル設定画面Ｃの表示時に、操作者による当該サムネイル設定画面Ｃに基づく操作により、サムネイル画像を生成する頁の指定がサムネイル画像生成指示受付部５２３に受け付けられると（Ｓ４０でＹＥＳ）、サムネイル画像生成指示受付部５２３は、当該入力された頁を、上記Ｓ３２で受け付けられた識別情報に対応付けた上で、サムネイル画像の生成対象とする頁として受け付ける（Ｓ４１）。すなわち、サムネイル画像生成指示受付部５２３は、上記Ｓ３２で受け付けられた識別情報毎に、Ｓ３７で指定された文書データについてサムネイル画像の生成対象とする頁を受け付ける。この後、操作者によりOKボタン４１１が押下され、頁指定入力終了の指示がサムネイル画像生成指示受付部５２３に受け付けられると（Ｓ４２でＹＥＳ）、上記指定された各頁が、Ｓ３７で指定された文書データについてサムネイル画像を生成する頁として、上記Ｓ３２で受け付けられた識別情報に対応付けてサムネイル画像生成指示受付部５２３に記憶される（Ｓ４３）。すなわち、サムネイル画像生成指示受付部５２３は、同一の文書データであっても、Ｓ３２で受け付けられた異なる識別情報毎に、それぞれのサムネイル画像生成の指定頁の情報を記憶する。
【００７８】
次に、複合機１によるサムネイル画像表示処理の第２実施形態を説明する。図１３は、複合機１によるサムネイル画像表示処理の第２実施形態を示すフローチャートである。なお、図４、図８、又は図１１に示した処理と同様の処理は説明を省略する。
【００７９】
この第２実施形態に係るサムネイル画像表示処理では、複合機１の起動時、図１１に示したサムネイル画像生成の設定処理と同様のログイン処理（図１３の第２実施形態ではＳ５１乃至Ｓ５３）が行われる。
【００８０】
そして、この後、保存文書一覧画面Ｂの表示時に、操作者による文書名表示ボタンＢ１の押下により、タッチパネル機能により、操作部４００に特定の文書の指定が受け付けられた場合であって（Ｓ５７でＹＥＳ）、サムネイル画像表示指示入力ボタンＢ２が押下され、表示制御部５２２は、上記指定された文書データについてのサムネイル画像表示の指示を受け付けた場合は（Ｓ５８で「サムネイル表示」）、上記Ｓ５２で受け付けられた識別情報に対応してサムネイル画像生成指示受付部５２３に記憶されている、当該指定された文書についてのサムネイル画像の表示対象として指定した頁情報を読み出す（Ｓ５９）。サムネイル画像生成部５２４は、当該読み出した頁情報に従って、当該文書データをなす全頁のうち、当該頁情報が示す頁についてサムネイル画像を生成する（Ｓ６０）。
【００８１】
このように、第２実施形態は、異なる識別情報を有する各操作者別に、サムネイル画像表示が可能に設定されている重要頁をポップアップ画像により案内し、当該重要頁についてのサムネイル画像を操作者にとって簡単な操作で表示部に表示できるようにしている。
【００８２】
次に、複合機１によるサムネイル画像表示処理の第３実施形態を説明する。図１４は、複合機１によるサムネイル画像表示処理の第３実施形態を示すフローチャートである。図１５は表示画面の一例を示す図である。なお、図４、図８、図１１、又は図１３に示した処理と同様の処理は説明を省略する。
【００８３】
この第３実施形態に係るサムネイル画像表示処理では、保存文書一覧画面Ｂの表示時に、操作者による文書名表示ボタンＢ１１等の押下により、タッチパネル機能により、操作部４００に特定の文書の指定が受け付けられた場合であって（Ｓ７４でＹＥＳ）、サムネイル画像表示指示入力ボタンＢ２が押下されたとき（Ｓ７５で「サムネイル表示」）、表示制御部５２２は、例えば図１５に示すような検出方法設定画面Ｆを表示する。この検出方法設定画面Ｆには、写真領域の占有率が予め定められた値に達する頁を検出する指示の入力を受け付けるための写真領域ボタンＦ１、文字領域の占有率が予め定められた領値に達する頁を検出する指示の入力を受け付けるための文字領域ボタンＦ２、枠画像を有する頁を検出する指示の入力を受け付けるための枠画像ボタンＦ３、上述した登録済み画像（特定画像）を有する頁を検出する指示の入力を受け付けるための特定画像ボタンＦ４が表示される。
【００８４】
この検出方法設定画面Ｆの表示時に、操作者による検出方法設定画面Ｆに基づく操作で、写真領域ボタンＦ１、文字領域ボタンＦ２、枠画像ボタンＦ３、又は特定画像ボタンＦ４のいずれかが押下されて、写真領域の占有率が予め定められた値に達する頁を検出する指示、文字領域の占有率が予め定められた領値に達する頁を検出する指示、枠画像を有する頁を検出する指示、登録済み画像を有する頁を検出する指示のいずれかの入力が注目頁検出部５２６に受け付けられると（Ｓ７６でＹＥＳ）、注目頁検出部５２６は、上記指定された文書をなす各頁の画像から、当該入力を受け付けた検出方法により注目頁を検出し（Ｓ７７）、サムネイル画像生成部５２４が、当該文書をなす全頁のうち、当該検出された注目頁のサムネイル画像を生成する（Ｓ７８）。但し、Ｓ７６の処理を行わず、注目頁検出部５２６は、予め定められている検出方法により上記検出を行うものしてもよい。
【００８５】
そして、表示制御部５２２は、Ｓ７４で指定された文書データの例えばフロント頁のサムネイル画像と共に、上記検出された注目頁の頁情報を示すポップアップ画像を表示部４１０に表示させる（Ｓ７９）。以降の処理は、図８等に示したＳ１９乃至Ｓ２２の処理等と同様である。
【００８６】
このように、第３実施形態では、文書データをなす各頁から、操作者が注目すると想定される頁を抽出し、操作者に対して、ポップアップ画像により、サムネイル画像の表示が可能である旨を把握させる。
【００８７】
なお、本発明は上記実施の形態の構成に限られず種々の変形が可能である。
【００８８】
例えば、上記各実施形態では、表示制御部５２２は、指定された文書データのサムネイル画像の表示時（図８のＳ１８等）に、当該指定された文書データについてサムネイル画像生成部５２４により生成されたフロント頁のサムネイル画像を表示するものとしているが、これに代えて、サムネイル画像生成部５２４は、当該指定された文書データについて、サムネイル画像の生成が指定された頁についてのみサムネイル画像を生成するものとし、表示制御部５２２は、当該指定頁について生成されたサムネイル画像のいずれかのみを表示部４１０に表示させるようにしてもよい。
【００８９】
また、上記各実施形態では、本発明の適用例を、ＨＤＤ７４に保存されている文書データのサムネイル画像を生成及び表示する場合を例にして説明しているが、原稿読み取り部５００によって読み取られた原稿の画像データ、ネットワークＩ／Ｆ部７１によって、ＬＡＮ接続（又はインターネット接続）されたパーソナルコンピュータから取得された画像データ、又はファクシミリ通信部７５によって外部のファクシミリ装置から取得された画像データ、又は図略のＩ／Ｆを介して複合機１に装着される外部メモリ等に記憶されている文書データ（画像データ）が、データ記憶部５３又はＨＤＤ７４に記憶されて画像形成や表示部４１０の表示等に用いられる場合に、当該文書データについてサムネイル画像を生成及び表示する場合にも、本発明を適用することが可能である。
【００９０】
また、上記各実施形態では、表示制御部５２２は、例えば図９，図１０に示すように、サムネイル画像の表示が可能な全頁を１つのポップアップ画像で表示するが、これに代えて、表示制御部５２２は、図１６に例を示すサムネイル表示画面Ｄのように、サムネイル画像の表示が可能な各頁毎に別個のポップアップ画像Ｄ２１，Ｄ２２，Ｄ２３を表示するようにしてもよい。
【００９１】
さらに、本発明は、上記に例を示した複合機に限られず他の画像形成装置、例えば、ファクシミリ装置、プリンタ、複合機（コピー、ファクシミリ装置、プリンタ等の機能を兼ね備えた画像形成装置）等に適用することが可能である。更には、画像形成装置に限られず、携帯電話や他の電気機器に適用することも可能である。
【００９２】
また、上記各実施形態及び変形形態でいうポップアップ画像とは、上記サムネイル画像は別個に表示される画像を広く含むものとする。
【００９３】
上記図１乃至図１６に示した実施形態に係る構成及び処理は、本発明に係る画像読取装置及び画像形成装置の構成及び処理の単なる一例に過ぎず、本発明に係る画像読取装置及び画像形成装置の構成及び処理を上記に示した内容に限定するものではない。
【符号の説明】
【００９４】
１          複合機
５１        制御部
５３        データ記憶部
５２        ＣＰＵ
５２２      表示制御部
５２３      サムネイル画像生成指示受付部
５２４      サムネイル画像生成部
５２５      頁指定受付部
５２６      注目頁検出部
５２７      識別情報受付部
４００      操作部
４１０      表示部
【図１】
2011199747.tif 000003
【図２】
2011199747.tif 000004
【図３】
2011199747.tif 000005
【図４】
2011199747.tif 000006
【図５】
2011199747.tif 000007
【図６】
2011199747.tif 000008
【図７】
2011199747.tif 000009
【図８】
2011199747.tif 000010
【図９】
2011199747.tif 000011
【図１０】
2011199747.tif 000012
【図１１】
2011199747.tif 000013
【図１２】
2011199747.tif 000014
【図１３】
2011199747.tif 000015
【図１４】
2011199747.tif 000016
【図１５】
2011199747.tif 000017
【図１６】
2011199747.tif 000018